(57)【要約】【課題】ミスト噴霧管を通して流れる霧を浄化するための銀イオンを含む霧浄化部材を含む超音波加湿装置を提供する。【解決手段】凹部（２１１）を含む基部（２１）と、基部（２１）上に配置され、凹部（２１１）と流体連通している水タンク（２２）およびミスト噴霧管（２３）とを含む超音波加湿装置（２）。超音波振動子（２４）は、凹部（２１１）内の水を噴霧するために凹部（２１１）の底端部内に配置される。霧浄化部材（２５）は、ミスト噴霧管（２３）内に配置され、銀イオンを含む。【選択図】図２
0003148437.tif 000002
【実用新案登録請求の範囲】
【請求項１】
凹部（２１１）を含む頂面を有する基部（２１）と、
前記基部（２１）上に配置され、前記基部（２１）内の前記凹部（２１１）と流体連通している水タンク（２２）と、
前記基部（２１）上に配置され、前記基部（２１）内の前記凹部（２１１）と流体連通しているミスト噴霧管（２３）と、
前記基部（２１）内の前記凹部（２１１）内の水を噴霧して、前記ミスト噴霧管（２３）を通して流れる霧を形成するために、前記基部（２１）内の前記凹部（２１１）の底端部内に配置されている超音波振動子（２４）と、
を備える超音波加湿装置（２）であって、
前記ミスト噴霧管（２３）内に配置され、銀イオンを含む霧浄化部材（２５）を備えることを特徴とする超音波加湿装置。
【請求項２】
前記霧浄化部材（２５）が、前記ミスト噴霧管（２３）内に着脱自在に配置され、内部空間を形成している管状本体（２５１）と、前記管状本体（２５１）内の前記内部空間を複数の霧の通路（２５３）に分割するために、前記管状本体（２５１）内に配置される複数の間に間隔を有する直立型銀イオン含有隔壁（２５２）とを含み、従って、前記霧が、前記霧の通路（２５３）を通して流れることを特徴とする、請求項１に記載の超音波加湿装置（２）。
【請求項３】
前記霧浄化部材（２５）の前記各銀イオン含有隔壁（２５２）が、プレート本体（２５４）と、前記プレート本体（２５４）の外面に塗布されている銀イオン被膜（２５５）とを含むことをさらに特徴とする、請求項２に記載の超音波加湿装置（２）。
【請求項４】
前記霧浄化部材（２５）の前記管状本体（２５１）が、前記霧がそこを通して前記管状本体（２５１）から流出することができる出口端部（２５１’）をさらに有し、前記霧浄化部材（２５）が、活性炭素からできていて、前記管状本体（２５１）の前記出口端部（２５１’）に端接している吸収リング（２５６）と、活性炭素でできていて、前記吸収リング（２５６）内に配置され、それぞれ前記銀イオン含有隔壁（２５２）に端接している複数の間に間隔を有する吸収プレート（２５７）とを含むことをさらに特徴とする、請求項２に記載の超音波加湿装置（２）。
【請求項５】
前記水タンク（２２）が、前記基部（２１）内の前記凹部（２１１）と流体連通している給水口（２２１）と、前記水タンク（２２）内の前記給水口（２２１）の開閉を制御するための弁（２２２）とを有することを特徴とする、請求項１に記載の超音波加湿装置（２）。
【請求項６】
前記ミスト噴霧管（２３）が、その上端部に配置され、前記霧の流れが、そこを通して前記加湿装置から流出することができるミスト出口（２３１）と、その下端部に配置され、前記基部（２１）内の前記凹部（２１１）と流体連通しているミスト入口（２３２）とを有することを特徴とする、請求項１に記載の超音波加湿装置（２）。
【考案の詳細な説明】
【技術分野】
【０００１】
本考案は、加湿装置に関し、特に、超音波加湿装置に関する。
【背景技術】
【０００２】
図１を参照すると、従来の超音波加湿装置１は、基部１１と、基部１１上に配置される水タンク１２と、水タンク１２上に配置されるミスト噴霧管１３と、基部１１上に配置される超音波振動子１４とを含む。基部１１は、水タンク１２およびミスト噴霧管１３と流体連通している凹部１１１を含む頂面を有する。超音波振動子１４は、凹部１１１の底端部内に配置される。
【０００３】
使用中、水タンク１２は、所定量の噴霧水で満たされる。水は、水タンク１２から凹部１１１に流入し、超音波振動子と接触する。それ故、凹部１１１内の水は、霧を形成するために霧状になる。霧は、ミスト噴霧管１３を通って大気中に吹き出されて周囲の空気の湿度が増大する。
【考案の開示】
【考案が解決しようとする課題】
【０００４】
高水質の加湿空気を得るには、高水質の水を水タンク１２に供給し、超音波加湿装置１の内部を清潔に維持しなければならない。さらに、超音波加湿装置１内で細菌が発生して悪臭を放った場合には、細菌を殺菌し、悪臭を除去しなければならない。しかし、上記超音波加湿装置１は、細菌の発生問題を解決することができない。そのため、細菌および悪臭は、超音波加湿装置１から加湿空気内に霧と一緒に排出される。それ故、加湿空気が、健康に有害な場合もあり、不快な臭気を有している場合もある。
【０００５】
本考案の目的は、ミスト噴霧管を通して流れる霧を浄化するための銀イオンを含む霧浄化部材を含む超音波加湿装置を提供することである。
【課題を解決するための手段】
【０００６】
本考案によれば、超音波加湿装置は、凹部を含む基部と、基部上に配置され、凹部と流体連通している水タンクおよびミスト噴霧管とを含む。超音波振動子は、凹部内の水を噴霧するために凹部の底端部内に配置される。霧浄化部材は、ミスト噴霧管内に配置され、銀イオンを含む。
【考案を実施するための最良の形態】
【０００７】
添付の図面を参照しながら、本考案の好ましい実施形態の以下の詳細な説明を読めば、本考案の上記および他の特徴および利点を理解することができるだろう。
【０００８】
好ましい実施形態を参照しながら本考案を詳細に説明する前に、本明細書全体を通して、類似の要素および構造には類似の参照番号がついていることに留意されたい。
【０００９】
図２および図３を参照すると、本考案による超音波加湿装置２の第１の好ましい実施形態は、基部２１と、基部２１上に配置される水タンク２２と、基部２１上に配置されるミスト噴霧管２３と、基部２１内に配置される超音波振動子２４と、ミスト噴霧管２３内に配置される霧浄化部材２５とを含む。
【００１０】
基部２１は、凹部２１１を含む頂面を有する。
【００１１】
水タンク２２は、基部２１内の凹部２１１と流体連通している給水口２２１と、給水口２２１の開閉を制御するために周知の方法で給水口２２１内に設置されている弁２２２とを有する。
【００１２】
ミスト噴霧管２３は、基部２１上に配置され、その上端部に配置され、外部環境と流体連通しているミスト出口２３１を有する管本体２５１と、その下端部に配置され、基部２１内の凹部２１１と流体連通しているミスト入口２３２とを含む。
【００１３】
超音波振動子２４は、基部２１内の凹部２１１の底端部内に配置される。
【００１４】
霧浄化部材２５は、ミスト噴霧管２３内に着脱自在に配置され、内部空間を形成している管状本体と、管状本体２５１内の内部空間を複数の霧の通路２５３に分割するために、管状本体２５１内に配置される複数の間に間隔を有する直立型銀イオン含有隔壁２５２とを含む。隔壁２５２のうちの中央の３つの隔壁の下端部は、隔壁２５２の２つの外側の隔壁の下端部より高い。各銀イオン含有隔壁２５２は、プレート本体２５４と、プレート本体２５４の外面上に塗布されている銀イオン被膜２５５とを含む。
【００１５】
使用中、水タンク２２は、所定量の噴霧水で満たされる。水は、水タンク２２から、給水口２２１を介して基部２１内の凹部２１１内に流れる。その後で、霧を形成する目的で、基部２１内の凹部２１１内の水を噴霧するために超音波振動子２４が駆動される。霧は、周囲の空気の湿度を増大するために、ミスト噴霧管２３内の霧の通路２５３を通して大気中に吹き出される。ミスト噴霧管２３を通して霧が流れている間に、霧は銀イオン被膜２５５と接触する。それ故、霧内の細菌は殺菌され、霧の中の悪臭は除去され、比較的高い浄化の霧が周囲の空気に噴霧される。
【００１６】
図４は、構造が第１の好ましい実施形態に類似している、本考案による超音波加湿装置２の第２の好ましい実施形態を示す。この実施形態の場合には、霧浄化部材２５の管状本体２５１は、そこを通して管状本体２５１から霧が流出することができる出口端部２５１’を有し、霧浄化部材２５は、さらに、活性炭素からできていて、管状本体２５１の出口端部２５１’に端接している吸収リング２５７と、活性炭素でできていて、吸収リング２５６内に配置され、それぞれ銀イオン含有隔壁２５２に端接している複数の間に間隔を有する吸収プレート２５７とを含む。
【００１７】
上記考案を、本考案の範囲および精神から逸脱することなしに、種々に修正し、変更することができることを理解することができるだろう。それ故、本考案は、添付の請求の範囲に記載する内容によってだけ制限される。
【図面の簡単な説明】
【００１８】
【図１】従来の超音波加湿装置の部分断面側面図である。
【図２】本考案による超音波加湿装置の第１の好ましい実施形態の部分分解斜視図である。
【図３】第１の好ましい実施形態の部分断面側面図である。
【図４】本考案による超音波加湿装置の第２の好ましい実施形態の部分断面側面図である。
【図１】
0003148437.tif 000003
【図２】
0003148437.tif 000004
【図３】
0003148437.tif 000005
【図４】
0003148437.tif 000006